(57)【要約】【課題】より自由度の高い両面表示を可能とし、且つ、設置される環境に開放感を付与することも可能となる両面表示装置を提供する。【解決手段】両面表示装置１を、走査側ドライバ２１、データ側ドライバ２２によってマトリクス駆動される透明ＥＬディスプレイ２を用いて構成する。そして、ドライバ制御部２３のエリア分割信号生成部は、分割指定部２４のエリア分割行指定部により設定された走査側ドライバ２１における表側表示領域と裏側表示領域との境界に応じて、データ側ドライバ２２を構成する８×２０ビットデータラッチがデータをシフトする方向を反転させるための反転信号Ｌ／Ｒを出力する。【選択図】  図１
2004286990.tif 000002
【特許請求の範囲】
【請求項１】
自発光する画素を用いてマトリクス方式で駆動され、非表示領域は実質的に透明となるように構成される透明表示部と、
前記透明表示部の表示領域の内、主に表側に向けて表示する領域と、主に裏側に向けて表示する領域とを設定するための表示領域設定手段とを備えて構成されることを特徴とする両面表示装置。
【請求項２】
前記透明表示部は、走査側ドライバとデータ側ドライバとでマトリクス駆動されるように構成され、
前記データ側ドライバは、時系列的に入力される表示データを前記透明表示部に出力する形式に変換するためのシフトレジスタを備え、
前記表示領域設定手段は、前記データ側ドライバを構成するシフトレジスタがデータをシフトする方向を反転させるための反転信号を出力する反転信号出力手段を備えることを特徴とする請求項１記載の両面表示装置。
【請求項３】
前記表示領域設定手段は、前記走査側ドライバにおいて表側表示領域と裏側表示領域との境界を設定するための境界設定手段を備え、
前記反転信号出力手段は、前記境界設定手段により設定された境界に応じて、前記反転信号の出力状態を変化させること特徴とする請求項２記載の両面表示装置。
【請求項４】
前記データ側ドライバを、前記透明表示部の表示領域を分割した各領域に応じて複数備え、
前記反転信号出力手段は、各データ側ドライバに対するデータ入力タイミングに応じて、前記反転信号の出力状態を変化させることを特徴とする請求項２又は３記載の両面表示装置。
【請求項５】
前記透明表示部における表示の表裏を、設定された時間毎に反転させる表示反転手段を備えたことを特徴とする請求項１乃至４の何れかに記載の両面表示装置。
【請求項６】
前記透明表示部を透明ＥＬディスプレイで構成したことを特徴とする請求項１乃至５の何れかに記載の両面表示装置。
【請求項７】
自発光する画素を用いてマトリクス方式で駆動され、非表示領域は実質的に透明となるように構成される透明表示部の表示領域の内、主に表側に向けて表示する領域と、主に裏側に向けて表示する領域とを設定して両面表示を行うことを特徴とする両面表示装置の表示方法。
【請求項８】
前記透明表示部が、走査側ドライバとデータ側ドライバとでマトリクス駆動されるように構成されると共に、
前記データ側ドライバが、時系列的に入力される表示データを前記透明表示部に出力する形式に変換するためのシフトレジスタを備える場合、
前記データ側ドライバを構成するシフトレジスタがデータをシフトする方向を反転させて両面表示を行うことを特徴とする請求項７記載の両面表示装置の表示方法。
【請求項９】
前記走査側ドライバにおいて表側表示領域と裏側表示領域との境界を設定し、
設定された境界に応じて、前記シフトレジスタがデータをシフトする方向を反転させること特徴とする請求項８記載の両面表示装置の表示方法。
【請求項１０】
前記データ側ドライバを、前記透明表示部の表示領域を分割した各領域に応じて複数備える場合に、
各データ側ドライバに対するデータ入力タイミングに応じて、前記シフトレジスタがデータをシフトする方向を反転させることを特徴とする請求項８又は９記載の両面表示方法。
【請求項１１】
前記透明表示部における表示の表裏を、設定された時間毎に反転させることを特徴とする請求項７乃至１０の何れかに記載の両面表示装置の表示方法。
【請求項１２】
前記透明表示部が透明ＥＬディスプレイであることを特徴とする請求項７乃至１１の何れかに記載の両面表示装置の表示方法。
【発明の詳細な説明】
【０００１】
【発明の属する技術分野】
本発明は、自発光する画素を用いてマトリクス駆動方式で表示を行い、非表示領域は実質的に透明となるように構成される透明表示部を備えて構成される両面表示装置、及びその両面表示装置の表示方法に関する。
【０００２】
【従来の技術】
従来の両面表示器の構成としては、例えば特許文献１に開示されているものがある。これは、透明表示器の表側と裏側とに夫々遮蔽板を配置することで表裏夫々に対する表示領域を限定して両面表示を行う構成である。そして、透明表示器の表示は予め一定のパターンに定められており、何れの表示パターンを表示させるかを外部より制御するようになっている。
【０００３】
【特許文献１】
特開平１０−１８７０５２
【０００４】
【発明が解決しようとする課題】
しかしながら、特許文献１の構成では、確かに表裏両側から表示を視認することはできるが、夫々の表示領域が予め固定されると共に表示内容も一定のパターンに決められているため、表示形態の自由度が極めて小さい。従って、表示によって提示される情報量、或いは表現力が大きく制約されてしまうという問題があった。
【０００５】
また、表示領域の少なくとも一部に遮蔽板を配置する構成であるため、表示器を設置する環境においては開放感を阻害する場合がある（例えば、オープンスペースにインフォメーションディスプレイとして配置する場合など）。従って、用途の面においても限定されてしまう。
【０００６】
本発明は上記事情に鑑みてなされたものであり、その目的は、より自由度の高い両面表示を可能とし、且つ、設置される環境に開放感を付与することも可能となる両面表示装置、及び両面表示装置の表示方法を提供することにある。
【０００７】
【課題を解決するための手段】
請求項１記載の両面表示装置によれば、自発光する画素を用いてマトリクス方式で駆動される透明表示部を用いるので、表示を表側、裏側の何れに対しても行うことができ、また、その表示形態の自由度はきわめて高くなる。そして、表示領域設定手段によって、透明表示部の表示領域の内、主に表側に向けて表示する領域と裏側に向けて表示する領域とを自由に設定することができる。
【０００８】
請求項２記載の両面表示装置によれば、反転信号出力手段は、データ側ドライバを構成するシフトレジスタがデータをシフトする方向を反転させるための反転信号を出力する。即ち、マトリクス駆動における線順次走査を行なっている場合に、シフトレジスタがデータをシフトする方向を反転させるとデータ側ドライバに出力される表示データのレベルは反転される。すると、シフト方向を反転させる前の状態で表側に向けて表示されていた内容は、そのまま裏側に向けて表示される内容となる。従って、両面表示を行うために表側、裏側の表示データを夫々別個に生成する必要が無くなるので両面表示を簡単に行うことができる。
【０００９】
請求項３記載の両面表示装置によれば、反転信号出力手段は、境界設定手段により設定された走査側ドライバにおける表側表示領域と裏側表示領域との境界に応じて、反転信号の出力状態を変化させる。すると、線順次走査が表側、裏側表示領域の境界を超える毎に表示データのレベルが反転するので、透明表示部の表示領域を、走査側方向において表側表示領域と裏側表示領域とに分割することができる。
【００１０】
請求項４記載の両面表示装置によれば、データ側ドライバを、透明表示部の表示領域を分割した各領域に応じて複数備えて、反転信号出力手段は、各データ側ドライバに対するデータ入力タイミングに応じて反転信号の出力状態を変化させる。斯様に構成すれば、各データ側ドライバにより出力される表示データ毎にレベルを反転させることができるので、表側表示領域と裏側表示領域とをデータ側においても分割することが可能となる。
【００１１】
請求項５記載の両面表示装置によれば、表示反転手段は、透明表示部における表示の表裏を、設定された時間毎に反転させる。従って、初期的に設定した表側、裏側の表示領域を周期的に反転させて交互に入れ替えることができ、表示形態の多様性を向上させることができる。
【００１２】
請求項６記載の両面表示装置によれば、透明表示部を透明ＥＬディスプレイで構成するので、自発光する画素としてのＥＬ素子を用いて透明表示を行う表示部を用意に構成することができる。
【００１３】
【発明の実施の形態】
（第１実施例）
以下、本発明の第１実施例について図１乃至図１１を参照して説明する。図２は、両面表示装置の外観を示すものである。両面表示装置１は、透明ＥＬディスプレイ（透明表示部）２と表示制御部３とで構成されている。透明ＥＬディスプレイ２は、表示制御部３を基台として表裏両面の表示領域が垂直となるように立設されている。
【００１４】
図４は、透明ＥＬディスプレイ２の詳細な断面構成図である。透明ＥＬディスプレイ２は、ガラス基板６上に成膜形成されたＥＬ素子部７〜１１を内側にして、スペーサ１２で所定の間隔を保って背面板（ガラス板）１３が固定され、空隙部１４にシリコンオイル等が充填され機密封止されている。ＥＬ素子部は、ＩＴＯ（酸化インジウム・錫）又はＺｎＯ（酸化亜鉛）等の透明導電膜より成る第１透明電極７、酸化窒化珪素、酸化タンタル等より成る第１絶縁層８、母体材料が硫化亜鉛等より成る発光層９、酸化窒化珪素、酸化タンタル等より成る第２絶縁層１０、ＩＴＯ又はＺｎＯ等の透明導電膜より成る第２透明電極１１が順次積層形成されて構成されている。
【００１５】
尚、図４は主に積層構造を示すものである。実際には、第１透明電極（走査電極）７と第２透明電極（データ電極）１１は夫々複数本存在し、それらが直交することで各交点にＥＬ素子が形成され、マトリクス表示が可能となるように構成されている。尚、この透明ＥＬディスプレイ２は、一般の無機材料のＥＬ素子を用いたものの他に、有機材料のＥＬ素子を用いて構成することもできる。
【００１６】
図１は、両面表示装置１の電気的構成を示す機能ブロック図である。透明ＥＬディスプレイ２は、２個の走査側ドライバ２１ａ，２１ｂと２個のデータ側ドライバ２２ａ，２２ｂとでマトリクス駆動されるようになっている。走査側ドライバ２１は複数の走査電極７を駆動するものであり、データ側ドライバ２２は、複数のデータ電極１１を駆動するようになっている。
【００１７】
そして、走査側ドライバ２１、データ側ドライバ２２は、ドライバ制御部２３によって制御される。ドライバ制御部２３は、分割指定部２４によって与えられる各種の指定に応じてドライバ２１及び２２を制御する。
【００１８】
図５は、ドライバ制御部２３及び分割指定部２４の内部構成を示すものである。分割指定部２４は、先頭行表裏区分指定部２５、時分割指定部（表示反転手段）２６、エリア分割行指定部（表示領域設定手段，境界設定手段）２７（１〜３）で構成されている。
【００１９】
先頭行表裏区分指定部２５は、表示データの先頭行を表側に対する表示とするか（設定レベルが例えばＨｉ）裏側に対する表示とするか（例えばＬｏ）を設定するレジスタである。時分割指定部２６は、透明ＥＬディスプレイ２の表示の表裏を一定周期で交互に反転させる場合にその周期を書き込んで設定するためのレジスタである。
【００２０】
エリア分割行指定部２７（１〜３）は、例えば透明ＥＬディスプレイ２の表示領域を走査方向に四分割する場合に、夫々の分割境界をどの位置に設定するかを行数（走査電極数）で書き込むためのレジスタである。尚、これらは必ずしも全てを使用する必要はなく、例えば表示領域を三分割するのであればエリア分割行指定部２７（１）、２７（２）のみを使用すれば良い。
【００２１】
先頭行表裏区分指定部２５及び時分割指定部２６に設定されたデータは、ドライバ制御部２３のタイマ部２８に与えられている。タイマ部２８は、時分割指定部２６の設定データに相当する時間が経過する毎に、先頭行表裏区分指定部２５に設定れたデータレベルを反転させてエリア分割信号生成部２９に出力する。
【００２２】
一方、エリア分割行指定部２７（１〜３）に設定されたデータは、ドライバ制御部２３のカウンタ部３０（１〜３）に夫々与えられている。カウンタ部３０（１〜３）は、後述するＨＳＹＮＣパルス（ドライバ制御部２３の内部で生成される）をカウントし、エリア分割行指定部２７（１〜３）に設定されたデータ値を「１」下回るとモノパルス信号を３入力ＯＲゲート３１に出力する。
【００２３】
ＯＲゲート３１の出力信号は、エリア分割信号生成部２９に与えられている。エリア分割信号生成部（反転信号出力手段）２９は、ＯＲゲート３１よりパルス信号が出力される毎に、タイマ部２８より出力される信号レベルを反転することでシフト方向制御信号Ｌ／Ｒを出力する。そして、入力許可信号生成部３２は、シフト方向制御信号Ｌ／Ｒに同期して、データ側ドライバ２２ａ，２２ｂに出力する入力許可信号ＥＩＯ１，２を生成して出力する。
【００２４】
図６は、データ側ドライバ２２の内部構成を示す機能ブロック図である。データ側ドライバ２２には、表示データとして８ビットデータＤ７〜Ｄ０がパラレルで時系列的に入力される。そのデータＤ７〜Ｄ０は、データ制御部３３を介して８×２０ビットデータラッチ３４に出力されるが、データ制御部３３はシフト方向制御信号Ｌ／Ｒのレベルに応じて、データＤ７〜Ｄ０の配列を変化させるように構成されている。
例えば、図７（ａ）に示すように、シフト方向制御信号Ｌ／ＲのレベルがＨｉである場合は、入力されたデータＤ７〜Ｄ０の配列をそのまま出力し、図７（ｂ）に示すように、シフト方向制御信号Ｌ／ＲのレベルがＬｏである場合は、入力されたデータＤ７〜Ｄ０の配列を逆にして出力するようにバスの切換えを行う。
【００２５】
信号制御回路３５には、シフトクロック信号ＳＣＫと入力許可信号ＥＩＯとが与えられており、信号制御回路３５は、入力許可信号ＥＩＯがアクティブ（Ｈｉ）の場合に、シフトクロック信号ＳＣＫを８×２０ビットデータラッチ３４及び２０ビットラッチセレクタ３６に出力するようになっている。ラッチセレクタ３６は、シフトクロック信号ＳＣＫとシフト方向制御信号Ｌ／Ｒとに基づいて、８×２０ビットデータラッチ３４に対してラッチ選択信号を出力する。
【００２６】
８×２０ビットデータラッチ３４は、８ビットラッチが２０個シリアルに接続されることでシフトレジスタとして構成されている。そして、ラッチセレクタ３６は、８×２０ビットデータラッチ３４の２０個のラッチをどのような順序で選択する（８ビットデータを格納させる）かを変化させて、データのシフト方向を変化させるようになっている。
【００２７】
例えば、図７（ａ）に示すように、シフト方向制御信号Ｌ／ＲのレベルがＨｉである場合、ラッチセレクタ３６は、８×２０ビットデータラッチ３４のシフト方向が右方向（順方向）となるように各ラッチを選択する。また、図７（ｂ）に示すように、シフト方向制御信号Ｌ／ＲのレベルがＬｏである場合、ラッチセレクタ３６は、８×２０ビットデータラッチ３４のシフト方向が左方向（逆方向）となるように各ラッチを選択する。
【００２８】
８×２０ビットデータラッチ３４にラッチされた計１６０ビットのデータは、１６０ビットデータラッチ３７に出力される。この時、ラッチ３４に格納されているデータは、例えば、図７（ａ）のケースであれば、Ｄ（０）０〜Ｄ（０）７，Ｄ（１）０〜Ｄ（１）７，・・・，Ｄ（１９）０〜Ｄ（１９）７の順序で１６０ビットデータラッチ３７に出力される。
【００２９】
また、図７（ｂ）のケースであれば、Ｄ（１９）７〜Ｄ（１９）０，Ｄ（１８）７〜Ｄ（１８）０，・・・，Ｄ（０）７〜Ｄ（０）０の順序で１６０ビットデータラッチ３７に出力される。１６０ビットデータラッチ３７は、データストローブ信号ＤＳＴの出力タイミングで１６０ビットデータをラッチするようになっている。
【００３０】
１６０ビットデータラッチ３７にラッチされたデータのレベルは、１６０ビットレベルシフタ３８によって変換され、１６０ビット高電圧ＣＭＯＳドライバ３９を介して１６０本のデータ電極１１にデータ電圧として出力される。尚、シフトクロック信号ＳＣＫやデータストローブ信号ＤＳＴなども、ドライバ制御部２３の内部で生成されるようになっている。また、データ側ドライバ２２ａ，２２ｂは何れも同じ構成であり、データ電極１１は計３２０本あるとする。そして、８ビットの表示データは、データ側ドライバ２２ａ，２２ｂに共通に与えられており、入力許可信号ＥＩＯ１，ＥＩＯ２によって入力が制御される。
【００３１】
次に、本実施例の作用について図３、図８乃至図１１も参照して説明する。例えば、図１に示すように、透明ＥＬディスプレイ２を走査方向において３つに分割し（エリア分割行指定部２７（３）は不使用）、夫々表示領域２Ａ，２Ｂ，２Ｃとする。そして、表示領域２Ａ，２Ｃは表側に向けて表示を行い（正転表示）、表示領域２Ｂは裏側に向けて表示を行う（反転表示）とする。
【００３２】
図３は、この場合のタイミングチャートを示す。（ａ）ＶＳＹＮＣは、走査周期毎に出力されるパルス信号であり、（ｂ）ＨＳＹＮＣは、走査周期内における各走査タイミング毎に出力されるパルス信号である。（ｄ）入力許可信号ＥＩＯ１，（ｅ）ＥＩＯ２は、ＨＳＹＮＣの１周期において、シフト方向制御信号Ｌ／ＲがＨｉである正転表示の場合には前半，後半で夫々アクティブになり、シフト方向制御信号Ｌ／ＲがＬｏである逆転表示の場合には後半，前半で夫々アクティブになるように切替わるパルス信号である。即ち、シフト方向制御信号Ｌ／ＲがＨｉ／Ｌｏに切替わると、データ側ドライバ２２ａ，２２ｂに対する表示データＤ７〜Ｄ０の入力順序を逆にする必要があるからである。
【００３３】
図８（ａ）、図９（ａ）には、ＨＳＹＮＣの１出力区間を拡大した正転表示、逆転表示の信号タイミングを示す。但し、ここでは、図１に示す領域区分とは異なり、図８では透明ＥＬディスプレイ２の表示領域２Ｂにおいて、入力された表示データ「ありがとうございました」をそのまま出力して（Ｌ／Ｒ：Ｈｉ）表側に向けて表示を行い（図８（ｂ）参照）、図９では同じ表示領域２Ｂにおいて、入力された表示データを反転して（Ｌ／Ｒ：Ｌｏ）裏側に向けて表示を行う（図９（ｂ）参照）場合を示す。
【００３４】
また、図１０（ａ）〜（ｃ），図１１（ｄ），（ｅ）には、より具体的な表示例を示す。両面表示器１を、例えばコンビニエンスストアのレジにおいて行なう表示に適用した場合である。レジを操作する店員側に対する表示を表側、買い物をした客側に対する表示を裏側、と定義する。表示領域はＡ，Ｂ，Ｃに３分割されているが、表示領域Ａは表側表示領域、表示領域Ｂ，Ｃは裏側表示領域とする。
【００３５】
先ず、店員が最初の商品のバーコードをバーコードリーダで読取りレジに入力すると、その情報、
2004286990.tif 000003
が表示領域Ａに、店員側に向けて表示される図１０（ａ）。
【００３６】
店員が次の商品の情報をレジに入力すると、その情報、
2004286990.tif 000004
が表示領域Ａに店員側に向けて表示され、図１０（ａ）において表示領域Ａに表示されていた情報は表示画面が反転されて、表示領域Ｂに、客側に向けて表示される。また、表示領域Ｃには、客側に向けて買い物の合計金額
合計        ５００
が表示される図１０（ｂ）。
【００３７】
以下、図１０（ｃ），図１１（ｄ）と同様にして、店員が入力した商品の情報が表示領域Ａに向けて表示され、その前に表示領域Ａに表示されていた情報が表示領域Ｂに表示され、それに応じて表示領域Ｃの合計金額が変化し、図１１（ｅ）において最終合計が表示領域Ｃに表示される。
【００３８】
ここで、図１１（ｆ）には、例えば図１１（ｄ）における表示データの作成イメージを示す。即ち、両面表示装置１のハードウエアが表側表示領域Ａ，裏側表示領域Ｂ及びＣに応じて表示データを自動的に反転させるので、表示データを作成する場合は、その領域の相違を意識する必要がなく、全て正転表示のイメージで作成すれば良いことになる。
【００３９】
また、上記の例とは異なる場合で、必要に応じて時分割指定部２６において周期を設定すれば、その周期が経過する毎に透明ＥＬディスプレイ２の表示全体を、表裏反転させることが可能である。即ち、表側表示領域が裏側表示領域に切替わり、裏側表示領域が表側表示領域に切替わるようになる。
【００４０】
以上のように本実施例によれば、両面表示装置１を、走査側ドライバ２１、データ側ドライバ２２によってマトリクス駆動される透明ＥＬディスプレイ２を用いて構成した。そして、エリア分割信号生成部２９は、エリア分割行指定部２７（１〜３）より設定された、走査側ドライバ２１における表側表示領域と裏側表示領域との境界に応じて、データ側ドライバ２２を構成する８×２０ビットデータラッチ３４がデータをシフトする方向を反転させるための反転信号Ｌ／Ｒを出力するようにした。
【００４１】
従って、自発光する画素としてのＥＬ素子を用いて透明表示を行う表示部を用意に構成することができる。そして、１つの透明ＥＬディスプレイ２によって表示を表側、裏側の何れに対しても行うことができ、また、その表示形態の自由度はきわめて高くなる。そしてエリア分割行指定部２７（１〜３）によって、透明ＥＬディスプレイ２の表示領域を、表側表示領域と裏側表示領域とに自由に設定することができる。
【００４２】
そして、従来とは異なり、透明ＥＬディスプレイ２の両面を遮蔽する部材が存在せず非表示部分が透明であるから、所定の環境に設置した場合、両面表示装置１を見る者に開放感を与えることが可能となる。
【００４３】
また、裏側表示領域では、表側表示領域で表示されていた内容がそのまま裏側に向けて表示されるようになるので、両面表示を行うために表側、裏側の表示データを夫々別個に生成する必要が無くなり、両面表示を極めて簡単に行うことができる。加えて、時分割表示部２６は、透明ＥＬディスプレイ２における表示の表裏を設定された時間毎に反転させるので、表示形態の多様性を向上させることができる。
【００４４】
（第２実施例）
図１２は本発明の第２実施例を示すものである。第２実施例は、第１実施例と同じ構成の両面表示装置１により、透明ＥＬディスプレイ２の表示領域をデータ方向（縦方向）においても分割する例を示す。即ち、両面表示装置１においては、２個のデータ側ドライバ２２ａ，２２ｂを備えているので、夫々が司る透明ＥＬディスプレイ２の表示領域について正転表示、反転表示を行なうことが可能となっている。
【００４５】
即ち、図８に示した表示パターンに対して、図１２に示すパターンでは、シフト方向制御信号Ｌ／Ｒを、データ側ドライバ２２ｂの入力許可信号ＥＩＯ２が出力されるタイミングでＨｉからＬｏに切替える。ここで、透明ＥＬディスプレイ２の表示領域左半分を表示領域２Ｄ、右半分を表示領域２Ｅとすれば、表示領域２Ｅ側の表示が反転して裏側に向けて表示が行われる。
【００４６】
以上のように第２実施例によれば、複数のデータ側ドライバ２２ａ，２２ｂを、透明ＥＬディスプレイ２の表示領域２Ｄ、２Ｅに応じて備え、エリア分割信号生成部２９は、反転制御信号Ｌ／Ｒの出力状態を、データ側ドライバ２２ａ，２２ｂに対するデータ入力タイミング応じて変化させるで、表側表示領域と裏側表示領域とをデータ側方向においても分割することが可能となる。
【００４７】
本発明は上記し且つ図面に記載した実施例にのみ限定されるものではなく、以下のような変形または拡張が可能である。
走査側ドライバは、１つで構成しても良い。
データ側ドライバも、表示領域をデータ型方向において分割する必要がない場合は、１つで構成しても良い。また、データ側方向のみで分割する場合、エリア分割行指定部２７は不要である。
第１実施例と第２実施例とを組み合わせて、透明ＥＬディスプレイ２の表示領域を走査側方向、データ側方向の双方について同時に分割しても良い。
時分割指定部２６は、必要に応じて設ければ良い。
透明表示部は透明ＥＬディスプレイ２に限らず、自発光する素子を用いてマトリクス駆動で表示を行い、非表示領域は実質的に透明となるように構成されるものであれば使用可能である。
【図面の簡単な説明】
【図１】本発明の第１実施例であり、両面表示装置１電気的構成を示す機能ブロック図
【図２】両面表示装置の外観を示す図
【図３】各信号のタイミングチャート
【図４】透明ＥＬディスプレイの詳細な断面構成図
【図５】ドライバ制御部及び分割指定部の内部構成を示す図
【図６】データ側ドライバの内部構成を示す機能ブロック図
【図７】（ａ）、（ｂ）はデータシフト方向が右方向、左方向となる場合のデータ制御部、８×２０ビットデータラッチセレクタ、１６０ビットデータラッチにおけるデータの状態を示す図
【図８】正転表示を行う場合に、ＨＳＹＮＣの１出力区間を拡大して示す（ａ）タイミングチャート、（ｂ）透明ＥＬディスプレイの表示状態を示す図
【図９】逆転表示を行う場合における図８相当図
【図１０】（ａ）〜（ｃ）は、両面表示器による具体的な表示例を示す図
【図１１】（ｄ），（ｅ）は、図１０（ａ）〜（ｃ）に続く両面表示器による具体的な表示例を示す図、（ｆ）は（ｄ）における表示データの作成イメージを示す図
【図１２】本発明の第２実施例を示す図９相当図
【符号の説明】
１は両面表示装置、２は透明ＥＬディスプレイ（透明表示部）、２１ａ，２１ｂは走査側ドライバ、２２ａ，２２ｂはデータ側ドライバ、２６は時分割指定部（表示反転手段）、２７（１〜３）はエリア分割行指定部（表示領域設定手段，境界設定手段）、２９はエリア分割信号生成部（反転信号出力手段）、３４は８×２０ビットデータラッチ（シフトレジスタ）を示す。
【図１】
2004286990.tif 000005
【図２】
2004286990.tif 000006
【図３】
2004286990.tif 000007
【図４】
2004286990.tif 000008
【図５】
2004286990.tif 000009
【図６】
2004286990.tif 000010
【図７】
2004286990.tif 000011
【図８】
2004286990.tif 000012
【図９】
2004286990.tif 000013
【図１０】
2004286990.tif 000014
【図１１】
2004286990.tif 000015
【図１２】
2004286990.tif 000016